(57)【要約】      （修正有）【課題】マウント支持部とマウントリング間に断熱材が配置された場合に、部品・組立費をコストアップさせずに熱伝導効率を向上させる。【解決手段】マウント構造の構成は、カメラ本体８の一部で撮像素子１に対し熱的に接続された伝熱材より成るマウント支持部２と、レンズに対し係合可能なマウントリング４と、マウント支持部２とマウントリング４との間に介在する非伝熱材と、マウントリング４と非伝熱材との間に介在し、環状部がマウントリング４と接しその内周側にレンズマウント爪部に圧接するレンズバネ部５ａを形成した金属のマウントバネ５より成るマウントにおいて、非伝熱材を跨いで、マウントバネ５とマウント支持部２が圧接する部分を有する。【選択図】図１
2013156601.tif 000002
【特許請求の範囲】
【請求項１】
カメラ本体の一部で撮像素子に対し熱的に接続された伝熱材より成るマウント支持部と
レンズに対し係合可能なマウントリングと、
マウント支持部とマウントリングとの間に介在する非伝熱材と、
マウントリングと非伝熱材との間に介在し、環状部がマウントリングと接しその内周側にレンズマウント爪部に圧接するレンズバネ部を形成した金属のマウントバネより成るマウントにおいて、
非伝熱材を跨いで、マウントバネとマウント支持部が圧接する部分を有することを特徴とするマウント構造。
【請求項２】
マウント支持部に圧接するマウントバネの支持部バネ部が、マウントバネの外周側でかつレンズ爪部に圧接するレンズバネ部に対し周方向に環状に配置されることを特徴とする請求項１に記載のマウント構造。
【発明の詳細な説明】
【技術分野】
【０００１】
本発明は、レンズ交換式カメラのレンズマウント部の熱伝導構造に関する。
【背景技術】
【０００２】
近年、カメラの小型化が進み、内部の撮像素子や駆動回路からの発熱が問題となってきている。
【０００３】
特に、撮像素子は画素数の増加等により発熱量が増大している。
【０００４】
内部の温度が上昇すると、撮影画像の劣化、ノイズの発生、その他機能に影響を与えるために撮像素子や実装部品から発生する熱を放熱する必要がある。
【０００５】
従来のカメラでは、撮像素子と熱的に接続しているマウント支持部にマウントリングが直接接触するようにビス等で固定されていた。
【０００６】
その為、撮像素子等から発生する熱の一部をマウント支持部からマウントリングを介してレンズや大気へ放熱する事が可能であった。
【０００７】
一方、マウント内部には、レンズのガタ取りの為に金属の環状のマウントバネがある。
【０００８】
このマウントバネは環状部に形成されたレンズバネ部がレンズマウント部の爪部を押圧し、その反力によりマウントバネの環状部がマウントリングには圧接するものの、マウント支持部に対してはガタ隙間が有り接触しておらず熱伝導していなかった。
【０００９】
しかしカメラの小型化が進む中で、機能の増加と共にレンズと本体間の通信を行うレンズインターフェースユニットは接点数が増加している。
【００１０】
その為にレンズインターフェースユニット接点端子部の取付等の周辺部をマウント内部スペースのみで構成するのが難しくなり、接点端子部と周辺部とを一体構造としてマウント支持部とマウントリングの間にはみ出して設けられるようになってきた。
【００１１】
その材質は保持する金属の接点端子間の短絡を防ぐためと、また安価に形状を形成するために非導電性樹脂で構成されているので熱伝導率は低い。
【００１２】
その結果、マウント支持部とマウントリングの間の熱伝導率が低下したり熱伝導が出来なくなったりして内部の温度が上昇する問題がある。
【００１３】
これに対して、特許文献１ではマウントリング表面に凹部を設けて表面の放熱効率を高めて放熱性を向上させる提案をしている。
【００１４】
また、特許文献２ではマウント支持部からマウントリングへの熱伝導が多すぎる場合の熱を伝えない方法を提案している。
【先行技術文献】
【特許文献】
【００１５】
【特許文献１】特開2010-145616号公報
【特許文献２】特開2011-158656号公報
【発明の概要】
【発明が解決しようとする課題】
【００１６】
内部の熱を多く放熱する目的で、マウント支持部からマウントリングまでの熱伝導率向上の為に専用の熱伝導部品を設けて熱接続すると、部品・組立費がコストアップの要因となる。
【００１７】
特許文献１はマウントリングでの放熱性向上の構造であり、本発明の課題のマウント支持部からマウントリングまでの熱伝導率向上には効果が無い。
【００１８】
また、特許文献２はマウント支持部からマウントリングへの断熱性向上の構造であり、本発明とは効果が逆である。
【課題を解決するための手段】
【００１９】
本発明に係るマウント構造の構成は、
カメラ本体の一部で撮像素子に対し熱的に接続された伝熱材より成るマウント支持部と
レンズに対し係合可能なマウントリングと、
マウント支持部とマウントリングとの間に介在する非伝熱材と、
マウントリングと非伝熱材との間に介在し、環状部がマウントリングと接しその内周側にレンズマウント爪部に圧接するレンズバネ部を形成した金属のマウントバネより成るマウントにおいて、
非伝熱材を跨いで、マウントバネとマウント支持部が圧接する部分を有することを特徴とする。
【発明の効果】
【００２０】
本発明によれば、部品・組立工数増によるコストアップ無しにマウント支持部とマウント間の熱伝導効率を向上する。
【図面の簡単な説明】
【００２１】
【図１】本発明を適用したカメラのマウントの実施例の構造斜視図
【図２】本発明を適用したカメラのマウントの実施例のレンズ装着時の断面の模式図
【発明を実施するための形態】
【００２２】
[実施例１]
図１および図２において、１は発熱源である撮像素子である。
【００２３】
2はマウント取付部を補強する熱伝導体の金属より成るマウント支持部で、不図示公知の構造により撮像素子1が熱伝導可能に位置決め固定されている。
【００２４】
3はカメラ本体とレンズ間で信号を授受するレンズインターフェースユニットで、金属の接点端子を収納する端子部3aとそれをマウント部に保持する保持部3bより成る。端子部3aの外殻は金属接点端子の短絡防止目的で非導電性の樹脂により構成されるため、一体となった保持部3bも非熱伝導体の樹脂で構成されている。保持部3bには切欠き又は穴部3cが形成されている。
【００２５】
4は熱伝導体の金属より成るマウントリングで、内周4bから３箇所の内フランジ4aが形成されている。
【００２６】
5は環状のマウントバネである。内周5c部から内周側に突出して3箇所のレンズバネ部5a、外周側3か所に支持部バネ部5bが交互に周方向に板バネとしてマウント支持部側に凸形状で配置形成される。レンズバネ部5aは後述のレンズマウント爪部7aと圧接可能な位置にある。マウントバネ5の環状部はマウントリング4と当接する。支持部バネ部5bはレンズインターフェースユニット保持部3bの3c部と同位相に配置され、5bは3c穴を通過し跨いでマウント支持部2と当接する位置形状にある。
【００２７】
6はレンズインターフェースユニット3、マウントバネ5、マウントリング4を挟んで４か所でマウント支持部2に固定するビスである。
【００２８】
7は不図示レンズの一部でカメラ装着部である金属製のレンズマウント部である。7b部は外周でマウントリング4の内周4b部と勘合する。7aは爪部で3箇所の外フランジ形状。各３箇所のマウントリング4の4a、マウントバネ5の5a、レンズマウント部7の7aはそれぞれ略等分で同位相に形成されている。7bの外径はマウントリング4の内周4b部及びマウントバネ5の内周5cより小さい。
【００２９】
8はカメラ本体で以上構成を適用したマウント支持部2が固定されている。
【００３０】
図2の矢印は熱の流れを表す。9は第一の熱経路、10は第二の熱経路である。
【００３１】
以上図1・図2の構成において、レンズマウント部7をマウントリング4に挿入すると、爪部7aはマウントリング4の内周4bおよびマウントバネ5の内周5cを通過し、外周7b部が内周4b部と勘合しレンズマウント部7とマウントリング4が当接する。
【００３２】
その状態でレンズマウント部7を回動すると、3箇所の爪部7aはそれぞれレンズバネ5のバネ部5aに当接すると共にマウントリング爪部4aと重なる。
【００３３】
レンズバネ部5aはレンズマウント爪部7aを押圧することによりレンズマウント部7をマウントリング4に押圧してガタ取りとなり、マウントリング爪部4aは抜け止めとなる。
【００３４】
このように従来公知のごとくレンズの脱着が可能である。
【００３５】
次に第一の熱経路の説明をする。図2のレンズ装着状態においては撮像素子1で発生した熱はマウント支持部2に伝わった後、圧接する5b部を経由してインターフェイスユニット3を跨いでマウントバネ5に熱伝導する。マウントバネ5は、その環状部と接する熱伝導体のマウントリング4を通してレンズマウント7に熱伝導すると共にマウントリング4から外部空間に放熱する。
【００３６】
更に第二の熱経路の説明をする。第一の経路でマウントバネ5に伝導した熱は、5a部でレンズマウント部7の爪部7aと圧接しているので、マウント支持部2からレンズマウント部7に直接熱伝導する。
【００３７】
本発明を実施しない場合、マウント支持部2とマウントリング4の間の熱伝導は無くなるか、又はビス6が金属である場合にはその4本のビスを通して行われるが、本発明の場合は第一及び第二の熱経路が加わり熱伝導率が向上する効果がある。
【００３８】
近年、コストダウンの為にマウントリング4を断熱材の樹脂とする場合もある。しかしこの場合も本発明を実施すれば、第二の熱経路によりマウント支持部2からレンズマウント部7に直接熱伝導する効果がある。
【００３９】
本発明ではマウントバネ5のレンズバネ部5aと支持部バネ部5bは径方向ではなく周方向に環状に配置されているので、マウントバネ5の幅が広くならない。そのためマウント部の外径が太くならず、小型化またはデザインの自由度が増す効果がある。
【００４０】
また、本発明を実施するとインターフェイスユニット3にはマウントバネ5の支持部バネ部5bが通過する穴又は切欠き3cが形成されることになる。この時、支持部バネ部5bがマウントバネ5の内周側に配置されていると、レンズ非装着状態でレンズマウント7側からマウントリング4の中を見た場合に穴3cがマウントバネ5の内周側にはみ出してその一部が露出して見える。これは準外観であるところのマウント内部の外観品位を損ねる。その点、本発明では支持部バネ部5bは外周側に配置されているので、穴3cがマウント内部に露出し難い効果がある。
【００４１】
本実施例ではレンズバネ部5bがインターフェイスユニット3の穴3cを貫通する構造としたが、逆にマウント支持部2に凸形状を設け、それが3cの穴を貫通して表面から突出したところをマウントバネ5の支持部バネ部5bが圧接する構造にしても良い。
【００４２】
本実施例では断熱部3をマウントに近くて構成し易いインターフェイスユニットとしたが、本発明はそれに限定するものではなく、撮像素子1とマウントリング4の間にあれば例えばシャッターユニットでも良い。
【符号の説明】
【００４３】
1・・・撮像素子
2・・・マウント支持部
3・・・インターフェイスユニット
4・・・マウントリング
5・・・マウントバネ
6・・・ビス
7・・・レンズマウント部
8・・・カメラ本体
9・・・第一の熱経路
10・・・第二の熱経路
【図１】
2013156601.tif 000003
【図２】
2013156601.tif 000004